(57)【要約】【課題】  電力の需要家に設けられた機器を制御する制御システムにおいて、操作装置のユーザが機器の設定内容を適切に把握することを可能とする制御装置及び制御方法を提供する。【解決手段】  ＥＭＳ２００は、機器１００の設定変更を要求する設定変更要求メッセージを所定の通信プロトコルに従って生成し、電力の需要家に設けられたネットワークを介して、設定変更要求メッセージを機器１００に送信する制御部２３０を備える。機器１００に対する操作指示を所定の通信プロトコルに従って生成する複数の操作装置３００がネットワークに接続されている場合に、制御部２３０は、所定トリガに応じて、機器１００の設定情報を含む設定情報通知メッセージを、複数の操作装置３００に送信する。【選択図】  図２
2015154293.tif 000002
【特許請求の範囲】
【請求項１】
機器の設定変更を要求する設定変更要求メッセージを所定の通信プロトコルに従って生成し、電力の需要家に設けられたネットワークを介して、前記設定変更要求メッセージを前記機器に送信する制御部を備える制御装置であって、
前記機器に対する操作指示を前記所定の通信プロトコルに従って生成する複数の操作装置が前記ネットワークに接続されている場合に、前記制御部は、所定トリガに応じて、前記機器の設定情報を含む設定情報通知メッセージを、前記複数の操作装置に送信することを特徴とする制御装置。
【請求項２】
前記制御部は、前記設定変更要求メッセージに対する設定変更応答メッセージを前記機器から受信したこと、及び、前記設定変更応答メッセージの受信に応じて前記機器の設定情報を要求する設定情報要求メッセージを前記機器に送信した後で前記設定情報要求メッセージに対する設定情報応答メッセージを前記機器から受信したことのいずれかを前記所定トリガとして、前記設定情報通知メッセージを、前記複数の操作装置に送信することを特徴とする請求項１に記載の制御装置。
【請求項３】
前記制御部は、前記設定変更応答メッセージの受信に応じて前記設定情報要求メッセージを複数回にわたって前記機器に送信し、
前記制御部は、前記複数回にわたって送信された前記設定情報要求メッセージの各々に対する前記設定情報応答メッセージを前記機器から受信したことを前記所定トリガとして、前記設定情報通知メッセージを、前記複数の操作装置に送信することを特徴とする請求項２に記載の制御装置。
【請求項４】
前記制御部は、前記設定変更応答メッセージの受信に応じて前記設定情報要求メッセージを複数回にわたって前記機器に送信するとともに、前記複数回にわたって送信された前記設定情報要求メッセージの各々に対する前記設定情報応答メッセージを前記機器から受信し、
前記制御部は、受信した設定情報応答メッセージによって示される前記機器の設定情報が、前回受信した設定情報応答メッセージによって示される前記機器の設定情報と異なる場合に、前記設定情報通知メッセージを前記複数の操作装置に送信することを特徴とする請求項２に記載の制御装置。
【請求項５】
前記制御部は、受信した操作指示に対応する前記設定変更要求メッセージを前記機器に送信し、前記設定変更要求メッセージに応じて前記機器から取得した前記機器の設定情報を含めて前記設定情報通知メッセージを生成することを特徴とする請求項２に記載の制御装置。
【請求項６】
前記制御部は、所定間隔で設定された設定情報送信タイミングの到来を前記所定トリガとして、前記設定情報通知メッセージを、前記複数の操作装置に送信することを特徴とする請求項１に記載の制御装置。
【請求項７】
前記制御部は、前記設定情報送信タイミングにおいて、前記設定情報要求メッセージを前記機器に送信し、前記設定情報要求メッセージに応じて前記機器から取得した前記機器の設定情報を含む前記設定情報通知メッセージを生成することを特徴とする請求項２に記載の制御装置。
【請求項８】
前記所定の通信プロトコルは、ＥＣＨＯＮＥＴ  Ｌｉｔｅ（登録商標）であることを特徴とする請求項１から７のいずれか一項に記載の制御装置。
【請求項９】
機器を制御する制御装置における制御方法であって、
前記機器の設定変更を要求する設定変更要求メッセージを所定の通信プロトコルに従って生成するステップと、
電力の需要家に設けられたネットワークを介して、前記設定変更要求メッセージを前記機器に送信するステップと、
前記機器に対する操作指示を前記所定の通信プロトコルに従って生成する複数の操作装置が前記ネットワークに接続されている場合に、所定トリガに応じて、前記機器の設定情報を含む設定情報通知メッセージを、前記複数の操作装置に送信するステップとを備えることを特徴とする制御方法。
【発明の詳細な説明】
【技術分野】
【０００１】
本発明は、電力の需要家に設けられた機器を制御する制御システムにおける制御装置及び制御方法に関する。
【背景技術】
【０００２】
近年、電力の需要家に設けられた機器と、機器の制御及び管理を行う制御装置と、ユーザの操作指示に応じて機器を操作する操作装置とが、ネットワークを介して接続される制御システムが提案されている（例えば、特許文献１）。機器は、例えば、電力を消費して動作する負荷（例えば、エアコン、照明又は冷蔵庫等）、又は電力を出力する分散電源（例えば、太陽光発電装置、蓄電池装置、又は燃料電池装置等）である。制御装置は、例えば、ＨＥＭＳ（Ｈｏｍｅ  Ｅｎｅｒｇｙ  Ｍａｎａｇｅｍｅｎｔ  Ｓｙｓｔｅｍ）、ＳＥＭＳ（Ｓｔｏｒｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）などと称される。操作装置は、例えば、パソコン、タブレット端末又はスマートフォン等である。
【０００３】
制御システムの普及には、機器、制御装置及び操作装置が、所定の通信プロトコルに対応していることが好ましい。このような通信プロトコルとして、例えば、ＥＣＨＯＮＥＴ  Ｌｉｔｅ（登録商標）が知られている。
【０００４】
操作装置は、機器に対する操作指示を、ネットワークを介して機器に送信する。機器は、操作指示に従って設定を変更し、機器の設定内容を示す設定情報を含む応答メッセージを、ネットワークを介して操作装置に送信する。操作装置は、取得した設定情報を表示することにより、操作装置のユーザは、機器の設定内容を把握する。
【先行技術文献】
【特許文献】
【０００５】
【特許文献１】特開２０１０−１２８８１０号公報
【発明の概要】
【発明が解決しようとする課題】
【０００６】
しかしながら、今後、複数の操作装置がネットワークに接続されるケースの増加が予測されることから、以下の問題が想定される。
【０００７】
例えば、機器が、複数の操作装置のいずれかから受信した操作指示に従って設定を変更した場合、当該操作装置は、機器の最新の設定内容を取得することができるが、他の操作装置は、機器の最新の設定内容を取得することができない。そのため、他の操作装置の表示内容が機器の設定内容と相違し、他の操作装置のユーザが機器の設定内容を把握することができないおそれがある。
【０００８】
そこで、本発明は、上述した課題を解決するためになされたものであり、電力の需要家に設けられた機器を制御する制御システムにおいて、操作装置のユーザが機器の設定内容を適切に把握することを可能とする制御装置及び制御方法を提供することを目的とする。
【課題を解決するための手段】
【０００９】
第１の特徴に係る制御装置は、機器の設定変更を要求する設定変更要求メッセージを所定の通信プロトコルに従って生成し、電力の需要家に設けられたネットワークを介して、前記設定変更要求メッセージを前記機器に送信する制御部を備える。前記機器に対する操作指示を前記所定の通信プロトコルに従って生成する複数の操作装置が前記ネットワークに接続されている場合に、前記制御部は、所定トリガに応じて、前記機器の設定情報を含む設定情報通知メッセージを、前記複数の操作装置に送信する。
【００１０】
第１の特徴において、前記制御部は、前記設定変更要求メッセージに対する設定変更応答メッセージを前記機器から受信したこと、及び、前記設定変更応答メッセージの受信に応じて前記機器の設定情報を要求する設定情報要求メッセージを前記機器に送信した後で前記設定情報要求メッセージに対する設定情報応答メッセージを前記機器から受信したことのいずれかを前記所定トリガとして、前記設定情報通知メッセージを、前記複数の操作装置に送信する。
【００１１】
第１の特徴において、前記制御部は、前記設定変更応答メッセージの受信に応じて前記設定情報要求メッセージを複数回にわたって前記機器に送信し、前記制御部は、前記複数回にわたって送信された前記設定情報要求メッセージの各々に対する前記設定情報応答メッセージを前記機器から受信したことを前記所定トリガとして、前記設定情報通知メッセージを、前記複数の操作装置に送信する。
【００１２】
第１の特徴において、前記制御部は、前記設定変更応答メッセージの受信に応じて前記設定情報要求メッセージを複数回にわたって前記機器に送信するとともに、前記複数回にわたって送信された前記設定情報要求メッセージの各々に対する前記設定情報応答メッセージを前記機器から受信し、前記制御部は、受信した設定情報応答メッセージによって示される前記機器の設定情報が、前回受信した設定情報応答メッセージによって示される前記機器の設定情報と異なる場合に、前記設定情報通知メッセージを、前記複数の操作装置に送信する。
【００１３】
第１の特徴において、前記制御部は、受信した操作指示に対応する前記設定変更要求メッセージを前記機器に送信し、前記設定変更要求メッセージに応じて前記機器から取得した前記機器の設定情報を含む前記設定情報通知メッセージを生成する。
【００１４】
第１の特徴において、前記制御部は、所定間隔で設定された設定情報送信タイミングの到来を前記所定トリガとして、前記設定情報通知メッセージを、前記複数の操作装置に送信する。
【００１５】
第１の特徴において、前記制御部は、前記設定情報送信タイミングにおいて、前記設定情報要求メッセージを前記機器に送信し、前記設定情報要求メッセージに応じて前記機器から取得した前記機器の設定情報を含めて前記設定情報通知メッセージを生成する。
【００１６】
第１の特徴において、前記所定の通信プロトコルは、ＥＣＨＯＮＥＴ  Ｌｉｔｅ（登録商標）である。
【００１７】
第２の特徴に係る制御方法は、機器を制御する制御装置における制御方法である。制御方法は、前記機器の設定変更を要求する設定変更要求メッセージを所定の通信プロトコルに従って生成するステップと、電力の需要家に設けられたネットワークを介して、前記設定変更要求メッセージを前記機器に送信するステップと、前記機器に対する操作指示を前記所定の通信プロトコルに従って生成する複数の操作装置が前記ネットワークに接続されている場合に、所定トリガに応じて、前記機器の設定情報を含む設定情報通知メッセージを、前記複数の操作装置に送信するステップとを備える。
【発明の効果】
【００１８】
本発明によれば、電力の需要家に設けられた機器を制御する制御システムにおいて、操作装置のユーザが機器の設定内容を適切に把握することを可能とする制御装置及び制御方法を提供することができる。
【図面の簡単な説明】
【００１９】
【図１】図１は、第１実施形態に係る制御システムを示す図である。
【図２】図２は、第１実施形態に係るＥＭＳを示すブロック図である。
【図３】図３は、第１実施形態に係る操作装置を示すブロック図である。
【図４】図４は、第１実施形態に係る制御方法を示すシーケンス図である。
【図５】図５は、第２実施形態に係る制御方法を示すシーケンス図である。
【発明を実施するための形態】
【００２０】
以下において、本発明の実施形態に係る制御システムについて、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［実施形態の概要］
実施形態に係る制御装置は、機器の設定変更を要求する設定変更要求メッセージを所定の通信プロトコルに従って生成し、電力の需要家に設けられたネットワークを介して、前記設定変更要求メッセージを前記機器に送信する制御部を備える。前記機器に対する操作指示を前記所定の通信プロトコルに従って生成する複数の操作装置が前記ネットワークに接続されている場合に、前記制御部は、所定トリガに応じて、前記機器の設定情報を含む設定情報通知メッセージを、前記複数の操作装置に送信する。
【００２３】
実施形態では、制御装置が、所定トリガに応じて、機器の設定内容を示す設定情報を複数の操作装置に送信する。これにより、複数の操作装置は、いずれの操作装置が機器を操作したかに関わらず、設定情報を取得することができる。従って、電力の需要家に設けられた機器を制御する制御システムにおいて、操作装置のユーザが機器の設定内容を適切に把握することを可能とする制御装置及び制御方法を提供することができる。
【００２４】
［第１実施形態］
（制御システム）
以下において、第１実施形態に係る制御システムについて説明する。図１は、第１実施形態に係る制御システム１０を示す図である。
【００２５】
図１に示すように、制御システム１０は、機器１００と、ＥＭＳ２００と、操作装置３００とを有する。図１では、信号が伝達される信号線を実線で、電力が伝達される電力線を破線で示す。信号線は、有線であってもよく、無線であってもよい。
【００２６】
機器１００は、例えば、電力を消費して動作する負荷、又は電力を出力する分散電源である。負荷は、電力線を介して供給を受ける電力を消費する装置である。負荷は、例えば、冷蔵庫、冷凍庫、照明又はエアコンなどの家電機器である。分散電源は、例えば、太陽光発電装置（ＰＶ装置）、蓄電池装置又は燃料電池装置である。図１では、機器１００の例として、ＰＶ装置１１０、蓄電池装置１２０及び照明１３０が示される。
【００２７】
分電盤５００は、配電線１（系統）に接続されている。分電盤５００は、電力線を介して、機器１００（ＰＶ装置１１０、蓄電池装置１２０及び照明１３０）に接続されている。
【００２８】
ＰＶ装置１１０は、太陽光の受光に応じて発電を行う太陽光発電装置である。ＰＶ装置１１０は、発電されたＤＣ電力をＡＣ電力に変換し、電力線を介してＡＣ電力を分電盤５００に出力する。ＰＶ装置１１０の発電量は、日射量に応じて変化する。
【００２９】
蓄電池装置１２０は、電力を蓄積する装置である。蓄電池装置１２０は、系統１から供給されたＡＣ電力をＤＣ電力に変換し、ＤＣ電力を蓄積する。また、蓄電池装置１４０は、出力されたＤＣ電力をＡＣ電力に変換し、電力線を介してＡＣ電力を分電盤５００に出力する。
【００３０】
照明１３０は、分電盤５００から出力された電力を消費して動作する。
【００３１】
ＥＭＳ２００は、機器１００の制御及び管理を行う制御装置（Ｅｎｅｒｇｙ  Ｍａｎａｇｅｍｅｎｔ  Ｓｙｓｔｅｍ）の一例である。
【００３２】
ＥＭＳ２００は、需要家に設けられたネットワークを介して、機器１００（ＰＶ装置１１０、蓄電池装置１２０及び照明１３０）及び操作装置３００と接続されている。ネットワークは、例えばホームエリアネットワークであり、具体的には、ルータ４００及び通信線等を含む。
【００３３】
ＥＭＳ２００は、機器１００及び操作装置３００と、所定の通信プロトコルに対応するメッセージの送受信を行う。所定の通信プロトコルとしては、例えば、ＥＣＨＯＮＥＴ  Ｌｉｔｅ（登録商標）が挙げられる。ＥＣＨＯＮＥＴ  Ｌｉｔｅ（登録商標）をサポートする機器１００、ＥＭＳ２００及び操作装置３００は、ＥＣＨＯＮＥＴ  Ｌｉｔｅ（登録商標）において規定されるＥＣＨＯＮＥＴ  Ｌｉｔｅ（登録商標）ノードに相当する。
【００３４】
ＥＭＳ２００は、インターネット等の外部ネットワークを介して、各種サーバと接続されてもよい。ＥＭＳ２００は、例えば、系統１からの買電単価及び系統１への売電単価などの情報を、各種サーバから取得してもよい。
【００３５】
操作装置３００は、機器１００に対する操作指示を送信する装置である。操作装置３００は、機器１００及びＥＭＳ２００と、所定の通信プロトコルに対応するメッセージの送受信を行う。操作装置３００は、例えば、パソコン３０１、タブレット端末３０２、スマートフォン３０３又はテレビ３０４等である。
【００３６】
（ＥＭＳの構成）
以下において、第１実施形態に係るＥＭＳについて説明する。図２は、第１実施形態に係るＥＭＳ２００を示すブロック図である。
【００３７】
図２に示すように、ＥＭＳ２００は、通信部２１０と、記憶部２２０と、制御部２３０とを有する。
【００３８】
通信部２１０は、機器１００及び操作装置３００との間で、ネットワークを介して、所定の通信プロトコルに対応するメッセージの送受信を行う。
【００３９】
通信部２１０は、機器１００の制御及び管理に必要な情報を、外部ネットワークを介して各種サーバから受信してもよい。
【００４０】
記憶部２２０は、機器１００の制御及び管理に必要な情報を記憶する。例えば、記憶部２２０は、機器１００から取得した機器１００の情報を記憶する。
【００４１】
制御部２３０は、通信部２１０及び記憶部２２０を制御する。
【００４２】
制御部２３０は、機器１００の設定内容を示す設定情報を要求する設定情報要求メッセージを機器１００に送信する。制御部２３０は、設定情報要求メッセージを受信した機器１００から、設定情報を含む設定情報応答メッセージを受信する。設定情報は、例えば、機器１００のスペック（メーカーコード、製造番号、機種、定格出力又は定格消費電力等）を示すスペック情報と、機器１００のステータス（電源、設定温度、出力又は消費電力、及び動作モード等）を示すステータス情報とを含む。
【００４３】
制御部２３０は、機器１００の設定変更を要求する設定変更要求メッセージを所定の通信プロトコルに従って生成し、ネットワークを介して、設定変更要求メッセージを機器１００に送信する。制御部２３０は、設定変更要求メッセージに応じて設定変更を行った機器１００から、設定変更要求メッセージに応じて設定変更を行ったことを示す設定変更応答メッセージを受信する。
【００４４】
また、制御部２３０は、機器１００の設定情報要求を操作装置３００から受信した場合には、受信した設定情報要求に対応する設定情報要求メッセージを機器１００に送信し、設定情報要求メッセージに応じて機器１００から受信した設定情報を含む設定情報通知メッセージを、操作装置３００に送信する。制御部２３０は、機器１００に対する操作指示を操作装置３００から受信した場合には、受信した操作指示に対応する設定変更要求メッセージを機器１００に送信し、設定変更要求メッセージに応じて機器１００から受信した設定情報を含む設定情報通知メッセージを、操作装置３００に送信する。
【００４５】
詳細については後述するが、第１実施形態において、機器１００に対する操作指示を所定の通信プロトコルに従って生成する複数の操作装置３００がネットワークに接続されている場合に、制御部２３０は、所定トリガに応じて、機器１００の設定情報を含む設定情報通知メッセージを、複数の操作装置３００に送信する。
【００４６】
ところで、ＥＭＳ２００は、所定の通信プロトコルに対応しない機器（以下、非対応機器）の制御及び管理をさらに行ってもよい。この場合、制御部２３０は、非対応機器と、独自に定義された通信プロトコルに対応するメッセージの送受信を行う。制御部２３０は、非対応機器についての設定情報要求を操作装置３００から受信した場合には、独自に定義された通信プロトコルに従って設定情報要求を生成し、生成した設定情報要求を非対応機器に送信する。制御部２３０は、設定情報要求に応じて非対応機器から受信した設定情報を含む設定情報通知メッセージを、操作装置３００に送信する。また、制御部２３０は、非対応機器についての操作指示を操作装置３００から受信した場合には、独自に定義された通信プロトコルに従って操作指示を生成し、生成した操作指示を非対応機器に送信する。制御部２３０は、操作指示に応じて非対応機器から受信した設定情報を含む設定情報通知メッセージを、操作装置３００に送信する。換言すると、ＥＭＳ２００は、非対応機器のアダプタとして、非対応機器の代わりに操作装置３００と通信を行う。
【００４７】
（操作装置の構成）
以下において、第１実施形態に係る操作装置について説明する。図３は、第１実施形態に係る操作装置３００を示すブロック図である。
【００４８】
図３に示すように、操作装置３００は、通信部３１０と、記憶部３２０と、制御部３３０と、表示部３４０と、入力部３５０とを有する。
【００４９】
通信部３１０は、機器１００及びＥＭＳ２００と、所定の通信プロトコルに対応するメッセージの送受信を行う。具体的には、通信部３１０は、機器１００に対する操作指示又は機器１００の設定情報を要求する設定要求を送信する。また、通信部３１０は、機器１００の設定情報を含む設定情報通知を受信する。所定の通信プロトコルは、例えば、ＥＣＨＯＮＥＴ  Ｌｉｔｅ（登録商標）である。
【００５０】
記憶部３２０は、通信部３１０を介して取得した情報を記憶する。具体的には、記憶部３２０は、機器１００の設定情報を記憶する。
【００５１】
制御部３３０は、通信部３１０、記憶部３２０及び表示部３４０を制御する。
【００５２】
制御部３３０は、所定の通信プロトコルに対応するメッセージを生成する。具体的には、制御部３３０は、後述する入力部３５０を介して入力された情報に基づいて、機器１００に対する操作指示を生成し、通信部３１０を介してＥＭＳ２００に送信する。また、制御部３３０は、機器１００の設定情報を要求する設定情報要求を生成し、通信部３１０を介してＥＭＳ２００に送信する。あるいは、制御部３３０は、操作指示又は設定情報要求を、通信部３１０を介して機器１００に送信してもよい。
【００５３】
また、制御部３３０は、ＥＭＳ２００から送信されたメッセージを、通信部３１０を介して受信する。具体的には、制御部３３０は、機器１００の設定情報を含む設定情報通知メッセージを受信し、機器１００の設定情報を取得する。制御部３３０は、機器１００の設定情報を取得すると、記憶部３２０に記憶された機器１００の設定情報を更新する。また、制御部３３０は、機器１００の設定情報を取得すると、後述する表示部３４０の表示内容を更新する。
【００５４】
表示部３４０は、制御部３３０が取得した情報をウェブブラウザ等によって表示する。具体的には、表示部３３０は、機器１００の設定情報を表示する。
【００５５】
入力部３５０は、ユーザが機器１００の制御又は管理を行うための情報を入力するためのキーボード等である。ユーザは、入力部３５０を介して、例えば、機器１００に対する操作指示を生成するための情報を入力する。入力部３５０は、例えばタッチパネルのように、表示部３４０と一体化されていてもよい。
【００５６】
（操作方法）
以下において、第１実施形態に係る制御方法について説明する。図４は、第１実施形態に係る制御方法を示すシーケンス図である。以下、操作装置３００として、操作装置３０２（タブレット端末）と操作装置３０３（スマートフォン）とがネットワークに接続しているものとして説明する。
【００５７】
図４に示すように、ステップＳ１１０において、操作装置３０３は、機器１００に対する操作指示をＥＭＳ２００に送信する。ステップＳ１２０において、ＥＭＳ２００は、受信した操作指示に対応する設定変更要求メッセージを機器１００に送信する。この設定変更要求メッセージは、例えばＥＣＨＯＮＥＴ  Ｌｉｔｅ（登録商標）規格においてはＳＥＴ命令などが相当する。
【００５８】
ステップＳ１３０において、機器１００は、受信した設定変更要求メッセージに応じて、設定を変更する。さらに、ステップＳ１４０において、機器１００は、設定変更要求メッセージに応じて設定変更を行ったことを示す設定変更応答メッセージを、ＥＭＳ２００に送信する。
【００５９】
設定変更応答メッセージを受信したＥＭＳ２００は、ステップＳ１５０において、設定情報を含む設定情報通知メッセージを、操作装置３０２及び操作装置３０３に送信する。
【００６０】
［変更例］
以下、第１実施形態の変更例に係る制御方法について説明する。第１実施形態に係る制御方法では、ＥＭＳ２００は、設定変更応答メッセージの受信に応じて、設定情報通知メッセージを複数の操作装置３００（操作装置３０２及び操作装置３０３）に送信した（ステップＳ１５０）。これに対し、第１実施形態の変更例に係る制御方法では、ＥＭＳ２００は、設定変更応答メッセージを機器１００の受信（ステップＳ１４０）に応じて、設定情報要求メッセージを機器１００に送信する。この設定情報要求メッセージは、例えばＥＣＨＯＮＥＴ  Ｌｉｔｅ（登録商標）規格においては、ＧＥＴ命令などが相当する。
【００６１】
その後、ＥＭＳ２００は、設定情報要求メッセージに対する設定情報応答メッセージを機器１００から受信したことに応じて、設定情報通知メッセージを複数の操作装置３００（操作装置３０２及び操作装置３０３）に送信する（ステップＳ１５０）。すなわち、ＥＭＳ２００は、設定変更応答メッセージの受信後、機器１００の設定情報を確認してから、設定変更通知メッセージを複数の操作装置３００に送信する。
【００６２】
ここで、ＥＭＳ２００は、設定変更応答メッセージの受信に応じて、設定情報要求メッセージを複数回にわたって機器１００に送信するとともに、複数回にわたって送信された設定情報要求メッセージの各々に対する設定情報応答メッセージを機器１００から受信してもよい。この場合、ＥＭＳ２００は、複数回にわたって送信された設定情報要求メッセージの各々に対する設定情報応答メッセージを機器１００から受信したことに応じて、設定変更通知メッセージを複数の操作装置３００に送信する。
【００６３】
ここで、ＥＭＳ２００は、受信した設定情報応答メッセージによって示される機器１００の設定情報が、前回受信した設定情報応答メッセージによって示される機器１００の設定情報と異なる場合に、設定変更通知メッセージを複数の操作装置３００に送信する。
【００６４】
以上説明したように、第１実施形態では、ＥＭＳ２００は、設定変更要求メッセージに対する設定変更応答メッセージを機器１００から受信したこと、及び、設定変更応答メッセージの受信に応じて機器１００の設定情報を要求する設定情報要求メッセージを機器１００に送信した後で設定情報要求メッセージに対する設定情報応答メッセージを機器１００から受信したことのいずれかを所定トリガとして、設定情報を複数の操作装置（操作装置３０２及び操作装置３０３）に送信する。これにより、操作指示を送信した操作装置３０３以外の操作装置３０２も、機器１００の設定情報を取得することができる。
【００６５】
特に、第１実施形態の変更例では、ＥＭＳ２００は、設定変更応答メッセージの受信後、機器１００の設定情報を確認してから、設定変更通知メッセージを複数の操作装置３００に送信する。これにより、機器１００が設定変更要求メッセージに応じた設定変更を行うことができなかった場合（設定される値が機器１００の対応可能な値の範囲外であって、設定が出来なかった場合等）であっても、複数の操作対象機器３００は、機器１００の最新の設定内容を取得することができる。従って、電力の需要家に設けられた機器を制御する制御システムにおいて、操作装置のユーザが機器の設定内容を適切に把握することができる。
【００６６】
［第２実施形態］
以下、第２実施形態に係る制御方法について、第１実施形態との相違点を中心に説明する。図５は、第２実施形態に係る制御方法を示すシーケンス図である。以下、図４に示すシーケンス図と同様に、操作装置３００として、操作装置３０２（タブレット端末）と操作装置３０３（スマートフォン）とがネットワークに接続しているものとして説明する。
【００６７】
図５に示すように、ステップＳ２１０において、ＥＭＳ２００は、設定情報送信タイミングの到来を検知する。
【００６８】
ステップＳ２２０において、ＥＭＳ２００は、設定情報を要求する設定情報要求メッセージを機器１００に送信する。設定情報要求メッセージを受信した機器１００は、ステップＳ２３０において、設定情報を含む設定情報応答メッセージをＥＭＳ２００に送信する。
【００６９】
設定情報応答メッセージを受信したＥＭＳ２００は、ステップＳ２３０において、設定情報を含む設定情報通知メッセージを、操作装置３０２及び操作装置３０３に送信する。
【００７０】
ステップＳ２１０における設定情報送信タイミングから所定周期Ｔが経過すると、ステップＳ２５０において、ＥＭＳ２００は、設定情報送信タイミングを再び検知する。設定情報送信タイミングを再び検知したＥＭＳ２００は、設定情報要求メッセージを機器１００に送信し（ステップＳ２２０）、設定情報応答メッセージを機器１００から受信すると（ステップＳ２３０）、機器１００の設定情報を含む設定情報通知メッセージを、操作装置３０２及び操作装置３０３に送信する（ステップＳ２４０）。以下、所定周期Ｔが経過する度に、ステップＳ２２０〜Ｓ２４０の処理が繰り返される。
【００７１】
以上説明したように、第２実施形態では、ＥＭＳ２００は、所定間隔（所定周期Ｔ）で設定された設定情報送信タイミングの到来を所定トリガとして、機器１００の設定情報を含む設定情報通知メッセージを複数の操作装置（操作装置３０２，３０３）に送信する。これにより、例えば、操作装置３０２がＥＭＳ２００を介さず、機器１００に直接操作指示を送信した場合であっても、ＥＭＳ２００が定期的に機器１００の設定情報を取得し、取得した機器１００の設定情報を複数の操作装置３００に通知することにより、複数の操作装置３００は、定期的に表示内容を更新することができる。従って、電力の需要家に設けられた機器を制御する制御システムにおいて、操作装置のユーザが機器の設定内容を適切に把握することができる。
【００７２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７３】
実施形態では、所定の通信プロトコルとして、ＥＣＨＯＮＥＴ  Ｌｉｔｅ（登録商標）を例示した。しかしながら、実施形態は、これに限定されるものではなく、所定の通信プロトコルとして、ＥＣＨＯＮＥＴ  Ｌｉｔｅ（登録商標）以外の通信プロトコル（例えば、ＺｉｇＢｅｅ（登録商標）又はＫＮＸ等）を用いてもよい。あるいは、所定の通信プロトコルとして、ＥＣＨＯＮＥＴ  Ｌｉｔｅ（登録商標）と他の通信プロトコルとを組み合わせて用いてもよい。
【００７４】
実施形態では特に言及していないが、所定の通信プロトコルに対応するメッセージは、送信元ノードの識別情報及びメッセージの参照番号等を示すフィールド等をさらに有することに留意すべきである。
【００７５】
ＥＭＳ２００は、ＨＥＭＳ（Ｈｏｍｅ  Ｅｎｅｒｇｙ  Ｍａｎａｇｅｍｅｎｔ  Ｓｙｓｔｅｍ）であってもよく、ＳＥＭＳ（Ｓｔｏｒｅ  Ｅｎｅｒｇｙ  Ｍａｎａｇｅｍｅｎｔ  Ｓｙｓｔｅｍ）であってもよく、ＢＥＭＳ（Ｂｕｉｌｄｉｎｇ  Ｅｎｅｒｇｙ  Ｍａｎａｇｅｍｅｎｔ  Ｓｙｓｔｅｍ）であってもよく、ＦＥＭＳ（Ｆａｃｔｏｒｙ  Ｅｎｅｒｇｙ  Ｍａｎａｇｅｍｅｎｔ  Ｓｙｓｔｅｍ）であってもよい。
【００７６】
実施形態では、操作装置３００は、所定の通信プロトコルに対応する機器１００（ＰＶ装置１１０、蓄電池装置１２０及び照明１３０）の情報を表示するものとして説明した。しかしながら、しかしながら、実施形態はこれに限定されるものではなく、所定の通信プロトコルに対応しない機器（非対応機器）が需要家に設けられ、ＥＭＳ２００によって制御及び管理されている場合、操作装置３００は、非対応機器の設定情報をＥＭＳ２００から取得し、取得した非対応機器の設定情報を表示してもよい。
【符号の説明】
【００７７】
１…系統、１０…制御システム、１００…機器、２００…ＥＭＳ、２１０…通信部、２２０…記憶部、２３０…制御部、３００…操作装置、３１０…通信部、３２０…記憶部、３３０…制御部、３４０…表示部、３５０…入力部、４００…ルータ、５００…分電盤
【図１】
2015154293.tif 000003
【図２】
2015154293.tif 000004
【図３】
2015154293.tif 000005
【図４】
2015154293.tif 000006
【図５】
2015154293.tif 000007